(57)【要約】【課題】つまみ易く把持部が大きく開き頑丈な洗濯ばさみを提供する。【解決手段】洗濯ばさみ１は、支軸部９、支持部１５を介して互いに回転可能に連結され、それぞれ一端が把持部３Ａと把持部５Ａとを形成しかつ他端が挟持部３Ｂ、挟持部５Ｂとを形成する１対の挟持片３と挟持片５と、１対の挟持片３と挟持片５との間に設けられ、１対の挟持片の挟持部３Ｂ、挟持部５Ｂ同士が当接する閉状態となるように付勢する付勢手段７とを備える。そして、１対の挟持片３、挟持片５の把持部３Ａ、把持部５Ａは、１対の挟持片３、挟持片５の挟持部３Ａ、挟持部５Ａとが最も離れる開位置で、端部３Ｃ、端部５Ｃ同士が当接し合い、把持部３Ａ、把持部５Ａの端部３Ｃ、端部５Ｃの内側表面は、支軸部９、支持部１５の軸ＡＸ方向に視て、外側に開く方向に傾斜している。【選択図】図１
2020092787.tif 000002
【特許請求の範囲】
【請求項１】
支軸部を介して互いに回転可能に連結され、それぞれ一端が把持部を形成しかつ他端が挟持部を形成する１対の挟持片と、
前記１対の挟持片間に設けられ、前記１対の挟持片の前記挟持部同士が当接する閉状態となるように付勢する付勢手段とを備え、
前記１対の挟持片の前記把持部は、前記１対の挟持片の前記挟持部が最も離れる開位置で、端部同士が当接し合い、
前記把持部の前記端部の内側表面は、前記支軸部の軸方向に視て、外側に開く方向に傾斜している、洗濯ばさみ。
【請求項２】
前記把持部の前記端部の内側表面は、外側表面に向けて窪む窪み部を有する、請求項１に記載の洗濯ばさみ。
【請求項３】
前記付勢手段は、線バネであり、前記支軸部の軸方向に視て、前記支軸部よりも前記把持部側に延在する部位が、非円形かつ凸状の形態である、請求項１又は２に記載の洗濯ばさみ。
【請求項４】
前記１対の挟持片のそれぞれは、第１円弧状部位と、前記支軸部の軸方向で両側から相手側の前記第１円弧状部位を挟持する第２円弧状部位とを有し、
前記第１円弧状部位は、前記支軸部の軸方向に視て、前記第２円弧状部位よりも外形が大きい、請求項１〜３のうちのいずれか１項に記載の洗濯ばさみ。
【請求項５】
前記把持部の外側表面は、前記内側表面に向けて凹む凹部を有する、請求項１〜４のうちのいずれか１項に記載の洗濯ばさみ。
【請求項６】
支軸部を介して互いに回転可能に連結され、それぞれ一端が把持部を形成しかつ他端が挟持部を形成する１対の挟持片と、
前記１対の挟持片間に設けられ、前記１対の挟持片の前記挟持部同士が当接する閉状態となるように付勢する付勢手段とを備え、
前記付勢手段は、前記支軸部の軸方向に視て、前記支軸部よりも前記把持部側に延在する部位が、非円形かつ凸状の形態であり、
前記１対の挟持片のそれぞれは、第１円弧状部位と、前記支軸部の軸方向で両側から相手側の前記第１円弧状部位を挟持する第２円弧状部位とを有し、
前記第１円弧状部位は、前記支軸部の軸方向に視て、前記第２円弧状部位よりも外形が大きく、
前記把持部の外側表面は、前記内側表面に向けて凹む凹部を有する、洗濯ばさみ。
【請求項７】
支軸部を介して互いに回転可能に連結され、それぞれ一端が把持部を形成しかつ他端が挟持部を形成する１対の挟持片と、
前記１対の挟持片間に設けられ、前記１対の挟持片の前記挟持部同士が当接する閉状態となるように付勢する付勢手段とを備え、
前記１対の挟持片の前記把持部は、前記１対の挟持片の前記挟持部が最も離れる開位置で、端部同士が当接又は近接し合い、
前記把持部の前記端部の内側表面は、外側表面に向けて窪む窪み部を有する、洗濯ばさみ。
【発明の詳細な説明】
【技術分野】
【０００１】
本開示は、洗濯ばさみに関する。
【背景技術】
【０００２】
従来、干し物等や布団などを干す場合に落下しないよう挟んでとめる留め具として洗濯ばさみが知られている。挟持片の把持部を押さえることによって挟持部の部分が開き、手を離すと固定される仕組みとなっている。干し物等を乾燥させるためにひもや物干しざおなどにかけるとき、かけた干し物等を落ちないように固定するために使われ、様々なデザインや色彩のものがある。そして、洗濯ばさみは色々と機能的に工夫されているものがある。例えば、洗濯ばさみを使用する際に干し物等を掴みやすく工夫されたものがある（例えば、特許文献１参照）。
【先行技術文献】
【特許文献】
【０００３】
【特許文献１】意匠登録第１１７３５４８号公報
【発明の概要】
【発明が解決しようとする課題】
【０００４】
しかしながら、上記のような従来技術では、挟持部の開き（最大に開いたときの開き）が比較的小さいため、洗濯ばさみで厚い干し物等を挟む際に不便であった。
【０００５】
そこで、１つの側面では、本発明は、把持部を把持した場合に挟持部が比較的大きく開く洗濯ばさみを提供することを目的とする。
【課題を解決するための手段】
【０００６】
第１の側面では、支軸部を介して互いに回転可能に連結され、それぞれ一端が把持部を形成しかつ他端が挟持部を形成する１対の挟持片と、前記１対の挟持片間に設けられ、前記１対の挟持片の前記挟持部同士が当接する閉状態となるように付勢する付勢手段とを備え、前記１対の挟持片の前記把持部は、前記１対の挟持片の前記挟持部が最も離れる開位置で、端部同士が当接し合い、前記把持部の前記端部の内側表面は、前記支軸部の軸方向に視て、外側に開く方向に傾斜している、洗濯ばさみが提供される。
【０００７】
これにより、洗濯ばさみの挟持片の挟持部の先端同士が大きく開き、厚い干し物等でも挟むことができる。更に、洗濯ばさみを干し物等に挿入する際の先端がガイドの役割を果たすため洗濯ばさみの先端が比較的大きく開くことにより簡単に干し物等に挟持部を挿入することができる。
【０００８】
第２の側面では、前記付勢手段は、線バネであり、前記支軸部の軸方向に視て、前記支軸部よりも前記把持部側に延在する部位が、非円形かつ凸状の形態である、洗濯ばさみが提供される。
【０００９】
これにより、洗濯ばさみを鎖に吊り下げたとき凸状付近に鎖が位置することになり安定した吊り下げが可能になる。
【００１０】
第３の側面では、前記１対の挟持片のそれぞれは、第１円弧状部位と、前記支軸部の軸方向で両側から相手側の前記第１円弧状部位を挟持する第２円弧状部位とを有し、前記第１円弧状部位は、前記支軸部の軸方向に視て、前記第２円弧状部位よりも外形が大きい、洗濯ばさみが提供される。
【００１１】
これにより、洗濯ばさみの挟持片同士が頑丈に回転可能に連結し簡単には分解されない。
【００１２】
第４の側面では、前記把持部の外側表面は、前記内側表面に向けて凹む凹部を有する、洗濯ばさみが提供される。
【００１３】
これにより、把持部を指でつまみやすくなる。
【００１４】
第５の側面では、支軸部を介して互いに回転可能に連結され、それぞれ一端が把持部を形成しかつ他端が挟持部を形成する１対の挟持片と、前記１対の挟持片間に設けられ、前記１対の挟持片の前記挟持部同士が当接する閉状態となるように付勢する付勢手段とを備え、前記付勢手段は、前記支軸部の軸方向に視て、前記支軸部よりも前記把持部側に延在する部位が、非円形かつ前記挟持部側が凸状の形態であり、前記１対の挟持片のそれぞれは、第１円弧状部位と、前記支軸部の軸方向で両側から相手側の前記第１円弧状部位を挟持する第２円弧状部位とを有し、前記第１円弧状部位は、前記支軸部の軸方向に視て、前記第２円弧状部位よりも外形が大きく、前記把持部の外側表面は、前記内側表面に向けて凹む凹部を有する、洗濯ばさみが提供される。
【００１５】
これにより、洗濯ばさみの挟持片の挟持部の先端同士が大きく開き、厚い干し物等でも挟むことができる。更に、洗濯ばさみを干し物等に挿入する際の先端がガイドの役割を果たすため洗濯ばさみの先端が比較的大きく開くことにより簡単に干し物等に挟持部を挿入することができる。また、洗濯ばさみを鎖に吊り下げたとき凸状付近に鎖が位置することになり安定した吊り下げが可能になる。更に、洗濯ばさみの挟持片同士が頑丈に回転可能に連結し簡単には分解されない。そして、把持部を指でつまみやすくなる。
【発明の効果】
【００１６】
１つの側面では、本発明によれば、洗濯ばさみの１対の挟持片の把持部は、１対の挟持片の挟持部が最も離れる開位置で、端部同士が当接し合い、把持部の端部の内側表面は、支軸部の軸方向に視て、外側に開く方向に傾斜しているので挟持部が比較的大きく開くことが可能となる。これにより、厚い干し物等も容易に挟むことが可能となるとともに干し物等に洗濯ばさみを容易に挿入できるという効果を奏する。
【図面の簡単な説明】
【００１７】
【図１】（ａ）は洗濯ばさみの閉じた状態の斜視図である。（ｂ）は洗濯ばさみの開いた状態の斜視図である。
【図２】（ａ）は挟持片の正面図である。（ｂ）は挟持片の左側面図である。（ｃ）は挟持片の右側面図である。（ｄ）は挟持片の背面図である。（ｅ）は挟持片の平面図である。（ｆ）は挟持片の底面図である。
【図３】（ａ）は挟持片の正面図である。（ｂ）は挟持片の左側面図である。（ｃ）は挟持片の右側面図である。（ｄ）は挟持片の背面図である。（ｅ）は挟持片の平面図である。（ｆ）は挟持片の底面図である。
【図４】線バネを説明する説明図である。
【図５】洗濯ばさみの動作を正面図で説明する説明図である。
【図６】洗濯ばさみの動作を平面図で説明する説明図である。
【図７】洗濯ばさみの動作を正面図で説明する説明図である。
【図８】洗濯ばさみの動作を平面図で説明する説明図である。
【図９】洗濯ばさみの比較例を正面図で説明する説明図である。
【図１０】洗濯ばさみの比較例を平面図で説明する説明図である。
【発明を実施するための形態】
【００１８】
以下、添付図面を参照しながら各実施例について詳細に説明する。なお、添付図面では見易さのために、複数存在する同一属性の部位には、一部のみしか参照符号が付されていない場合がある。
【００１９】
図１（ａ）（ｂ）、図２（ａ）（ｂ）（ｃ）（ｄ）（ｅ）（ｆ）、図３（ａ）（ｂ）（ｃ）（ｄ）（ｅ）（ｆ）を参照し洗濯ばさみ１を説明する。図１（ａ）は洗濯ばさみ１が閉じている状態での斜視図である。図１（ｂ）は洗濯ばさみ１が開いている状態での斜視図である。
【００２０】
図２（ａ）は挟持片３の正面図である。（ｂ）は挟持片３の左側面図である。（ｃ）は挟持片３の右側面図である。（ｄ）は挟持片３の背面図である。（ｅ）は挟持片３の平面図である。（ｆ）は挟持片３の底面図である。
【００２１】
図３（ａ）は挟持片５の正面図である。（ｂ）は挟持片５の左側面図である。（ｃ）は挟持片５の右側面図である。（ｄ）は挟持片５の背面図である。（ｅ）は挟持片５の平面図である。（ｆ）は挟持片５の底面図である。
【００２２】
図１（ａ）に示すように、洗濯ばさみ１は支軸部９、支軸部１５（支軸部９と支軸部１５とが回転可能に連結され回転可能な機構を形成している）を介して互いに回転可能に連結され、それぞれ一端が把持部３Ａ、把持部５Ａを形成しかつ他端が挟持部３Ｂ、挟持部５Ｂを形成する１対の挟持片３と挟持片５を備える。ここで、挟持片３と挟持片５とは同一の形状であるが説明を解りやすくするため、それぞれ別符号を付している。
【００２３】
更に、洗濯ばさみ１は、１対の挟持片３と挟持片５との間に設けられ、１対の挟持片３と挟持片５の挟持部３Ａと挟持部５Ａ同士が当接する閉状態となるように付勢する付勢手段（例えば、線バネ７）を備える。
【００２４】
挟持片３の把持部３Ａと挟持片５の把持部５Ａとは、挟持片３の挟持部３Ｂと挟持片５の挟持部５Ｂとが最も離れる開位置で、端部３Ｃと端部５Ｃ同士が当接し合う。本明細書において、“当接”は、弾性変形（しなり）を伴って実現される態様を含む。そして、把持部３Ａの端部３Ｃの内側表面は、回転可能に連結された支軸部９、支軸部１５の軸ＡＸの方向（軸ＡＸは空間に定義される直線とした場合に、この軸ＡＸが点に見える方向）に視て、外側に開く方向に傾斜している。更に、把持部５Ａの端部５Ｃの内側表面は、回転可能に連結された支軸部９、支軸部１５の軸ＡＸの方向に視て、外側に開く方向に傾斜している。
【００２５】
すなわち、端部３Ｃの内側表面と端部５Ｃの内側表面とは、はじめは所定の角度でテーパ状に開いているが当接する際には互いに平行になり内側表面同士が接触（面接触）する。より具体的には、挟持片３の把持部３Ａと挟持片５の把持部５Ａとは、端部に向かうほど端部３Ｃの内側表面と端部５Ｃの内側表面とが互いに対して離れるように、外側に向けて薄肉化されている（削られている）。以下、このように、挟持片３の把持部３Ａと挟持片５の把持部５Ａが、互いに向かい合う側（内側）において、端部に向けて互いに離れる方向に薄肉化されている構造を、「端部傾斜構造」とも称する。
【００２６】
このような端部傾斜構造を有することで、洗濯ばさみの挟持片３の挟持部３Ｂ、挟持片５の挟持部５Ｂの先端同士が比較的大きく開き、厚い干し物等でも挟むことができる。更に、洗濯ばさみ１を干し物等に挿入する際に先端がガイドの役割を果たすため洗濯ばさみ１の先端が比較的大きく開くことにより簡単に干し物等を挟持部３Ｂ、挟持部５Ｂの間に挿入することができる。
【００２７】
本例の洗濯ばさみ１はハンガー等（図示省略）に鎖２１、鎖２３を介して吊り下げて使ってもよいし、また、単独で干し物等を挟んで使ってもよいし、他の用途（例えばクリップ）で使ってもよい。
【００２８】
洗濯ばさみ１の挟持片３と挟持片５との材質はプラスチック、木製、ステンレス等が使われている。また、付勢手段（線バネ７等）の材質は鋼等が用いられている。
【００２９】
なお、プラスチックとしては特に制限されないが、ポリプロピレン等のポリオレフィン系樹脂、ポリスチレン系樹脂、ＡＢＳ樹脂、ポリカーボネート樹脂等が挙げられる。
【００３０】
図２、図３を参照すると、１対の挟持片３と挟持片５のそれぞれは、第１円弧状部位９Ａ、第１円弧状部位１５Ａと、回転可能に連結された支軸部９、支軸部１５の軸ＡＸの方向で両側から相手側の第１円弧状部位１５Ａ、第１円弧状部位９Ａのそれぞれを挟持する第２円弧状部位９Ｂ、第２円弧状部位９Ｃ、第２円弧状部位１５Ｂ、第２円弧状部位１５Ｃとを有する。
【００３１】
すなわち、図２に示すように、挟持片３の把持部３Ａと挟持部３Ｂとの間には挟持片３から背面側に突出した第１円弧状部位９Ａと、第２円弧状部位９Ｂと、第２円弧状部位９Ｃとが形成されている。そして、第２円弧状部位９Ｂと、第２円弧状部位９Ｃとの間には間隔９Ｄが形成されている。この間隔９Ｄの底の部分は第１円弧状部位１５Ａと回転可能に嵌合するように凹状の円弧状部位に形成されている。
【００３２】
一方、図３に示すように、挟持片５の把持部５Ａと挟持部５Ｂとの間には挟持片５から背面側に突出した第１円弧状部位１５Ａと、第２円弧状部位１５Ｂと、第２円弧状部位１５Ｃとが形成されている。そして、第２円弧状部位１５Ｂと、第２円弧状部位１５Ｃとの間には間隔１５Ｄが形成されている。この間隔１５Ｄの底の部分は第１円弧状部位９Ａと回転可能に嵌合するように凹状の円弧状部位に形成されている。
【００３３】
そして、挟持片３と挟持片５とが回転可能に結合されたとき、間隔９Ｄの部分は第１円弧状部位１５Ａと回転可能に嵌合し、間隔１５Ｄの部分は第１円弧状部位９Ａと回転可能に嵌合する。ここで嵌合の強さは、挟持片３と挟持片５とが回転するに適正な隙間を空けられている。更に、隙間が大きすぎるとガタツキが生じ回転が安定しないので、安定、かつ、回転が円滑に行われる適正な微小な隙間に形成されている。
【００３４】
また、第１円弧状部位９Ａと第１円弧状部位１５Ａは、回転可能に連結された支軸部９、支軸部１５の軸ＡＸの方向に視て、第２円弧状部位９Ｂ、第２円弧部状位９Ｃ、第２円弧状部位１５Ｂ、第２円弧状部位１５Ｃよりも外形が大きく形成されている。これにより、洗濯ばさみ１の挟持片３、挟持片５同士が頑丈に回転可能に連結し簡単には分解されない。特に、洗濯ばさみ１に捻じれ方向等の力が伝達しても簡単には分解されないという効果を奏する。
【００３５】
図１から図３を参照すると、洗濯ばさみ１の挟持片３の把持部３Ａの外側表面は、内側表面に向けて凹む凹部３Ｄを有する。更に、洗濯ばさみ１の挟持片５の把持部５Ｄの外側表面は、内側表面に向けて凹む凹部５Ｄを有する。この凹部３Ｄと凹部５Ｄは指の形状と合致する。すなわち、指先の形状の凸状の部分が凹部３Ｄと凹部５Ｄに一致する。これにより、把持部３Ａ、把持部５Ａを指でつまみやすくなる。
【００３６】
図４は線バネ７を説明する説明図である。図４を参照すると、付勢手段は線バネ７であり、回転可能に連結された支軸部９、支軸部１５の軸ＡＸの方向に視て、回転可能に連結された支軸部９、支軸部１５よりも把持部３Ａ、把持部５Ａ側に延在する部位が、非円形かつ凸状７Ａの形態である。これにより、洗濯ばさみ１を鎖２１に吊り下げたとき線バネ７の中心の凸状７Ａ付近に鎖２１が位置することになり安定した吊り下げが可能になる。
【００３７】
具体的には、洗濯ばさみ１は、非円形の部分は曲率の大きい曲線部分である凸状部位７Ａと、この凸状部位７Ａに連続している部位７Ｂと部位７Ｃとを備える。部位７Ｂと部位７Ｃは凸状部位７Ａより曲率が小さい曲線又は直線で形成されている。これにより、鎖２１は、洗濯ばさみ１が吊り下げられた状態で、例えば、最初に曲率が小さい曲線又は直線である部位７Ｂ或いは部位７Ｃに当たっても、この部位７Ｂ或いは部位７Ｃ上を移動し曲率の大きい曲線部分である凸状部位７Ａ上に停止する。一方、線バネ７の端部分７Ｆ、端部分７Ｇのそれぞれは、挟持片３に形成された溝部１３、挟持片５に形成された溝部１９に嵌り挟持片３、挟持片５同士を付勢する。なお、洗濯ばさみ１の挟持部３Ｂ、挟持部５Ｂが互いに開状態のとき、線バネ７の膨らみ部７Ｄ、膨らみ部７Ｅは、挟持片３に形成されたスリット１１と挟持片５に形成されたスリット１７に入り込むように構成されている。
【００３８】
以上の説明した本実施例の洗濯ばさみ１は、支軸部９、支軸部１５を介して互いに回転可能に連結され、それぞれ一端が把持部３Ａ、把持部５Ａを形成しかつ他端が挟持部３Ｂ、挟持部５Ｂを形成する１対の挟持片３と挟持片５と、１対の挟持片３、挟持片５との間に設けられ、１対の挟持片３、挟持片５の挟持部３Ｂ、挟持部５Ｂ同士が当接する閉状態となるように付勢する付勢手段（線バネ７等）とを備える。付勢手段（線バネ７等）は、連結された支軸部９、支軸部１５の軸方向に視て、支軸部９、支軸部１５よりも把持部３Ａ、把持部５Ａ側に延在する部位が、非円形かつ凸状の形態である。１対の挟持片３、挟持片５のそれぞれは、第１円弧状部位９Ａ、第１円弧状部位１５Ａと、支軸部９、支軸部１５の軸ＡＸの方向で両側から相手側の第１円弧状部位９Ａ、第１円弧状部位１５Ａのそれぞれを挟持する第２円弧状部位９Ｂ、第２円弧状部位９Ｃ、第２円弧状部位１５Ｂ、第２円弧状部位１５Ｃとを有する。第１円弧状部位９Ａ、第１円弧状部位１５Ａは、支軸部９、支持部１５の軸ＡＸの方向に視て、第２円弧状部位９Ｂ、第２円弧状部位９Ｃ、第２円弧状部位１５Ｂ、第２円弧状部位１５Ｃよりも外形が大きく、把持部３Ａ、把持部５Ａの外側表面は内側表面に向けて凹む凹部３Ｄ、凹部５Ｄを有する。
【００３９】
これにより、洗濯ばさみ１の挟持片３、挟持片５の挟持部３Ｂ、挟持部５Ｂの先端同士が比較的大きく開き、厚い干し物等でも挟むことができる。更に、洗濯ばさみ１を干し物等に挿入する際の先端がガイドの役割を果たすため洗濯ばさみ１の先端が比較的大きく開くことにより簡単に干し物等に挟持部３Ｂ、挟持部５Ｂを挿入することができる。また、洗濯ばさみ１を吊り下げたとき付勢手段（線バネ７等）の凸状付近に鎖２１が位置することになり安定した吊り下げが可能になる。更に、洗濯ばさみ１の挟持片３、挟持片５同士が頑丈に回転可能に連結し簡単には分解されない。そして、把持部３Ａ、把持部５Ａを指でつまみやすくなる。更に、相乗効果として、例えば、洗濯ばさみ１の挟持部３Ｂと挟持部５Ｂ間を比較的大きく開かせるには、相応の把持力が必要になるが、把持部３Ａ、把持部５Ａは指でつまみ易くなっているので相応の把持力が把持部３Ａと把持部５Ａにかかっても安定してつまんでいられる。また、支軸部９と支軸部１５とが頑丈に連結しているので把持部３Ａと把持部５Ａに相応の把持力が加わっても洗濯ばさみ１は簡単に分解等しない。
【００４０】
次に、図５から図８を参照し洗濯ばさみ１の動作を説明する。
【００４１】
図５を参照するに、洗濯ばさみ１が線バネ７を介して鎖２１と鎖２３に吊り下げられている状態が示される。ここで、例えば鎖２３は洗濯ばさみハンガー等（図示省略）に取り付けられていてもよい。この状態では、挟持片３の把持部３Ａの端と挟持片５の把持部５Ａの端の寸法Ｄ１は例えば３８．４ｍｍである。支軸部９、支軸部１５の端から把持部３Ａの寸法Ｄ２は例えば１４．３ｍｍである。更に、挟持片３、挟持片５の寸法Ｄ３は例えば６１ｍｍである。そして、挟持部３Ａ、挟持部５Ａが閉じた時の洗濯ばさみ１の高さ寸法Ｄ４は例えば５９．１ｍｍである。挟持部３Ｂ、挟持部５Ｂの先端間の寸法Ｄ５は例えば８．１ｍｍである。なお、本例では理解を容易にするため寸法を具体的な数値で示したが本発明はこの数値に限定されるものではない。
【００４２】
図６は洗濯ばさみ１の挟持部３Ｂ、挟持部５Ｂが閉状態であり、図５の矢印ＡＲ１方向から見た図である。
【００４３】
把持部３Ａの端部３Ｃの内側表面は、回転可能に連結された支軸部９、支軸部１５の軸ＡＸの方向に視て、外側に開く方向に傾斜している。更に、把持部５Ａの端部５Ｃの内側表面は、回転可能に連結された支軸部９、支軸部１５の軸ＡＸの方向に視て、外側に開く方向に傾斜している。端部３Ｃには、更に窪み部３Ｅが形成されている。また、端部５Ｃには、更に窪み部５Ｅが形成されている。窪み部３Ｅ及び窪み部５Ｅは、上縁まで延在し、上面視（図５の矢印ＡＲ１方向から見たビュー）で、可視である。窪み部３Ｅ、窪み部５Ｅは、把持部３Ａ、把持部５Ａの幅方向の中央部が最も窪む態様で形成される。
【００４４】
図７を参照すると、挟持片３と挟持片５の外側表面は、内側表面に向けて凹部３Ｄと凹部５Ｄとを備えているので、この凹部３Ｄと凹部５Ｄとをつまみ洗濯ばさみ１の把持部３Ｂと把持部５Ｂとを最大の開状態とする。すなわち、把持部３Ａの端部３Ｃと把持部５Ａの端部５Ｃとは当接している状態である。このとき挟持部３Ｂの接触面（干し物等と接触するディンプル等が形成されている）と挟持部５Ｂの接触面との角度Ａ１は、５１度であり、接触面の端部と接触面の端部の寸法Ｄ６は例えば２１．５ｍｍである。このように、本実施例によれば、比較的広い開き角度Ａ１を実現できるとともに、比較的広い開き幅Ｄ６を実現できる。
【００４５】
なお、上記の開き角度Ａ１及び開き幅Ｄ６が実現されるときの、挟持部３Ａ、挟持部５Ａが開いた時の洗濯ばさみ１の高さ寸法Ｄ７は、例えば６０．４ｍｍである。把持部３Ａ、把持部５Ａ間の寸法Ｄ８は７．２ｍｍである。なお、本例では理解を容易にするため寸法を具体的な数値で示したが本発明はこの数値に限定されるものではない。
【００４６】
図８は洗濯ばさみ１の挟持部３Ｂ、挟持部５Ｂが開状態であり、洗濯ばさみ１を図７の矢印ＡＲ２方向から見た図である。把持部３Ａの端部３Ｃには、更に窪み部３Ｅが形成されている。また、把持部５Ａの端部５Ｃには、更に窪み部５Ｅが形成されている。その窪み部３Ｅと窪み部５Ｅとの間に鎖２１が収まり、両端の当接（しなりを伴う当接）が可能である。
【００４７】
これにより、鎖２１の太さ分、把持部３Ａ、把持部５Ａが回転可能となるので挟持部３Ｂと挟持部５Ｂの開きが、更に大きくなる。そして、厚い干し物等でも挟むことができる。特に、窪み部５Ｅが形成されるので、洗濯ばさみ１が鎖２１を介して吊るされた状態のまま、洗濯ばさみ１の挟持部３Ｂ、挟持部５Ｂを最大に開くことができる。更に、洗濯ばさみを干し物等に挿入する際の先端がガイドの役割を果たすため洗濯ばさみ１の先端が比較的大きく開くことにより簡単に干し物等に挟持部３Ｂ、挟持部５Ｂを挿入することができる。
【００４８】
ここで、把持部３Ａ、把持部５Ａの幅寸法Ｄ１０は、例えば１９ｍｍである。挟持部３Ｂ、挟持部５Ｂの幅寸法Ｄ９は、例えば１６ｍｍである。なお、本例では理解を容易にするため寸法を具体的な数値で示したが本発明はこの数値に限定されるものではない。
【００４９】
以上の実施例に関し、この実施例の内容をより明確にするため、更に以下の比較例を開示する。
＜比較例＞
図９を参照するに、比較例は、本実施例に対して、端部傾斜構造を有しておらず、かつ、窪み部３Ｅと窪み部５Ｅを有していない点が主に異なる。
【００５０】
具体的には、比較例の洗濯ばさみ５１は、支軸部５９、６５（支軸部５９と支軸部６５とが回転可能に連結し回転機構を形成している）を介して互いに回転可能に連結され、それぞれ一端が把持部５３Ａ、把持部５５Ａを形成しかつ他端が挟持部５３Ｂ、挟持部５３Ｂを形成する１対の挟持片５３と挟持片５５を備える。ここで、挟持片５３と挟持片５５とは同一の形状であるが説明を解りやすくするため、それぞれ別符号を付している。
【００５１】
１対の挟持片５３と挟持片５５との間に設けられ、挟持部５３Ｂと挟持部５５Ｂ同士が当接する閉状態となるように付勢する付勢手段（例えば、線バネ５７）を備える。１対の挟持部５３Ｂと挟持部５５Ｂとが最も離れる開位置で、端部５３Ｃと端部５５Ｃ同士が当接し合う。
【００５２】
ここで、比較例では、本実施例とは異なり、上述した端部傾斜構造を有していないため、把持部５３Ａの角と把持部５５Ａの角の当接となり、挟持部５３Ｂ、挟持部５５Ｂはあまり開かない。具体的には、比較例では、開き幅Ｄ１１は１９ｍｍであり、開き角度Ａ２は４５度である。
【００５３】
これに対して、上述したように本実施例では、上述した端部傾斜構造を有することで、端部３Ｃの内側表面と端部５Ｃの内側表面との間で面接触が実現されるので、開き幅Ｄ６は２１．５ｍｍであり、開き角度Ａ１は５１度である。これから、端部傾斜構造を有する場合（本実施例）、比較例に比べて、開き角度及び開き幅を効果的に増加できることが分かる。
【００５４】
また、比較例では、窪み部３Ｅと窪み部５Ｅを有していないため、図１０に示すように、把持部５３Ａの角と把持部５５Ａの角の当接が鎖２１により阻害されやすい。これに対して、上述したように本実施例では、窪み部３Ｅと窪み部５Ｅを有することで鎖２１が窪み部３Ｅと窪み部５Ｅとの間の空間に収まりやすく（図８参照）、把持部３Ａの端部３Ｃと把持部５Ａの端部５Ｃとの当接が鎖２１により阻害され難い。このため、上述したように本実施例では、鎖２１を有する場合でも、上述のような比較的広い開き角度及び開き幅を実現できる。
なお、本実施例では、窪み部３Ｅと窪み部５Ｅは、把持部３Ａの端部３Ｃと把持部５Ａの端部５Ｃとが当接した際に、鎖２１が収まるように形成されている。換言すると、窪み部３Ｅと窪み部５Ｅは、鎖２１が存在した場合でも、把持部３Ａの端部３Ｃと把持部５Ａの端部５Ｃとが当接できるように形成される。ただし、変形例では、窪み部３Ｅと窪み部５Ｅは、把持部３Ａの端部３Ｃと把持部５Ａの端部５Ｃとが当接した際に、鎖２１の一部だけが収まるような形態であってもよい。この場合、鎖２１が存在した場合、把持部３Ａの端部３Ｃと把持部５Ａの端部５Ｃとが当接できないものの（すなわち接触を伴わずに近接する関係となるものの）、窪み部３Ｅと窪み部５Ｅを有さない場合に比べて依然として広い開き角度及び開き幅を実現できる。また、窪み部３Ｅと窪み部５Ｅを有する場合は、上述した端部傾斜構造は省略されてもよい。
【００５５】
なお、ここで、端部傾斜構造を有さないで、挟持部５３Ｂと挟持部５５Ｂの寸法Ｄ１１を２１．５ｍｍ確保する方法として挟持部５３Ｂと挟持部５５Ｂを約４ｍｍ延伸することが考えられるが使用する樹脂の材料が増えてしまうという問題がある。また、支軸部５９と支軸部６５の位置を把持部５３Ａと把持部５５Ａ方向にずらすことが考えられるが把持力が約２０％多くなるという問題がある（洗濯ばさみ５１の全長を約６０ｍｍとすると、力点、支点、作用点の関係により３：２（３６ｍｍ：２４ｍｍ）から８：７（３２ｍｍ：２８ｍｍ）になる為である）。この比較からも本実施例は挟持部３Ｂと挟持部５Ｂを比較的広く開くために好適な構造であることが分かる。
【００５６】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００５７】
例えば、洗濯ばさみ１の挟持部３Ｂの先端付近を回転可能に連結された支軸部９、支軸部１５の軸ＡＸの方向に視て、外側に開く方向に傾斜させてもよい。更に、挟持部５Ｂの先端付近を、回転可能に連結された支軸部９、支軸部１５の軸ＡＸの方向に視て、外側に開く方向に傾斜させてもよい。
【００５８】
これにより、洗濯ばさみ１の挟持片３の挟持部３Ｂ、挟持片５の挟持部５Ｃの先端同士が、更に大きく開き、厚い干し物等でも挟むことができる。更に、洗濯ばさみ１を干し物等に挿入する際に先端がガイドの役割を果たすため洗濯ばさみ１の先端が比較的大きく開くことにより簡単に干し物等を挟持部３Ｂ、挟持部５Ｂの間を挿入することができる。
【符号の説明】
【００５９】
１  洗濯ばさみ
３  挟持片
３Ａ  把持部
３Ｂ  挟持部
３Ｃ  端部
３Ｄ  凹部
３Ｅ  窪み部
５  挟持片
５Ａ  把持部
５Ｂ  挟持部
５Ｃ  端部
５Ｄ  凹部
５Ｅ  窪み部
７  線バネ
９  支軸部
１５  支軸部
２１  鎖
２３  鎖
【図１】
2020092787.tif 000003
【図２】
2020092787.tif 000004
【図３】
2020092787.tif 000005
【図４】
2020092787.tif 000006
【図５】
2020092787.tif 000007
【図６】
2020092787.tif 000008
【図７】
2020092787.tif 000009
【図８】
2020092787.tif 000010
【図９】
2020092787.tif 000011
【図１０】
2020092787.tif 000012